(57)【特許請求の範囲】
【請求項１】
第１基板の同一面に形成された第１ディスプレイパネル及び第２ディスプレイパネルと、
前記第１ディスプレイパネル及び第２ディスプレイパネルを封止する封止基板と、
前記第１及び第２ディスプレイパネル上部の前記封止基板上に一体に形成されたタッチパネルと、
前記タッチパネルを駆動させるタッチパネル制御部と
前記第１及び第２ディスプレイパネルを制御するディスプレイ制御部と、
を含み、
前記タッチパネルは、前記第１ディスプレイパネル及び前記第２ディスプレイパネルを封止する封止基板上に設けられた透明電極を有し、該透明電極は、前記封止基板の前記第１ディスプレイパネル及び前記第２ディスプレイパネル側とは異なる面に形成され、
前記第１及び第２ディスプレイパネルには、複数の薄膜トランジスタ及び発光素子が含まれている画像表示部が形成され、前記第１及び第２ディスプレイパネルは、封止材によって封止された前記第１基板と前記封止基板の間の空間に配置され、有機電界発光素子でなることを特徴とする有機電界発光表示装置。
【発明の詳細な説明】
【技術分野】
【０００１】
本発明は有機電界発光表示装置に関し、特に、同一面に第１ディスプレイパネル及び第２ディスプレイパネルが備えられ、前記第１及び２ディスプレイパネルの上面に一体型タッチパネルが形成される有機電界発光表示装置に関する。
【背景技術】
【０００２】
通常、携帯電話又はＰＤＡなどの携帯用端末の急速な普及により、多くの人が携帯用端末を用いている。また、前記携帯用端末の携帯性を向上させるために、携帯用端末の小型化、スリム化、軽量化が持続的に進められている。これにより、前記携帯用端末に装着される部品が小型化、半導体集積化されている。
【０００３】
但し、このような携帯用端末の小型化傾向にも拘らず、携帯用端末に搭載されるディスプレイ、即ち、表示装置はユーザの便宜を図るために、１つ以上備えられることが要求されている。
【０００４】
これにより、近年、携帯用端末に搭載される表示装置は、メインディスプレイ部と、サブディスプレイ部とに区分されて機構的に前記携帯用表示装置の両面に備えられるのが一般的である。ここで、メインディスプレイ部は通話情報を含む多様な映像を表示し、サブディスプレイ部は時計、文字によるお知らせ、電話受信のお知らせなどの簡単な情報のみを表示する。
【０００５】
また、前記携帯用端末に搭載される表示装置としては、ＬＣＤなどのような平板表示装置（Ｆｌａｔ Ｐａｎｅｌ Ｄｉｓｐｌａｙ）が用いられる。平板表示装置は既存のＣＲＴに比べて厚さが薄くて広い空間を必要としない上に、電力の消耗が少ないことから、前記携帯用端末のディスプレイ条件を備えているといえる。
【０００６】
しかしながら、このような従来の構造による場合、前記サブディスプレイ部は単純な機能のため、活用度が低下してしまうという短所がある。即ち、ユーザの立場ではメインディスプレイ部を通じてのみメニューの選択、文字の伝送、ＤＭＢ受信、写真撮影、画像通話などの特定アプリケーションの実現が可能である。そして、メインディスプレイ部と異なる面に備えられるサブディスプレイ部を通じては、前述した単純な機能以外に前記メインディスプレイ部のような多様なアプリケーションが困難であるという問題点がある。
【特許文献１】韓国特許公開第２００７−００４５８６８号
【特許文献２】韓国特許公開第２００１−００８３７８７号
【特許文献３】特開２００７−１０９２４０号公報
【発明の開示】
【発明が解決しようとする課題】
【０００７】
本発明は上記事情に鑑みてなされたものであって、その目的は、携帯用端末に備えられる平板表示装置としての有機電界発光表示装置において、同一面に第１ディスプレイパネル及び第２ディスプレイパネルが備えられ、前記第１及び２ディスプレイパネルの上面に一体型タッチパネル（Ｔｏｕｃｈ Ｓｃｒｅｅｎ Ｐａｎｅｌ、ＴＳＰ）が形成され、前記第１及び第２ディスプレイパネルが１つの制御部により制御される有機電界発光表示装置を提供することにある。
【課題を解決するための手段】
【０００８】
前記目的を達成するための本発明の一側面による有機電界発光表示装置は、同一面に形成された第１ディスプレイパネル及び第２ディスプレイパネルと、前記第１及び第２ディスプレイパネル上に一体に形成されたタッチパネルと、前記タッチパネルを駆動させるタッチパネル制御部と、前記第１及び第２ディスプレイパネルを制御するディスプレイ制御部とを含むことを特徴とする。
【０００９】
また、前記第１及び第２ディスプレイパネルは、複数の薄膜トランジスタ及び発光素子が含まれている画像表示部が形成された第１基板と、前記第１基板上に形成されて前記画像表示部を封止する封止基板とを含んで構成されることを特徴とする。
【００１０】
更に、前記タッチパネルは前記封止基板上に一体に形成され、前記封止基板の一面に形成される透明電極と、前記透明電極のエッジ又は各辺に形成された金属電極と、前記封止基板の上面に形成された偏光フィルムとを含んで構成されることを特徴とする。
【発明の効果】
【００１１】
本発明によれば、携帯用端末に備えられた２つ以上のディスプレイパネルが一面に形成され、多数のディスプレイパネル上に１つの一体型タッチパネルが形成される。これにより、携帯用端末ユーザの便宜を図り、それぞれのディスプレイパネル上に別途のタッチパネルを形成することに比べて生産コストを低減できるという効果を奏する。
【発明を実施するための最良の形態】
【００１２】
下記の詳細な説明は、本発明の特定の実施形態だけを詳細に記載します。本発明の技術分野において通常の知識を有する者は、本発明の技術的思想から逸脱しない範囲内で下記の実施形態を多様に変形できる。従って、添付する図面と説明は、本発明を説明するだけであって、これに限定されない。また、１つの構成要素が他の構成要素と「接触している（ｏｎ）」ということはそれがその他の構成要素と直接接触したり、１つ以上の要素を２つの間に介在させて間接的に接触していることを意味する。また、ある要素が他の要素に「結合されている」ということは、それがその他の要素に直接的に連結されているか、１つ以上の要素を２つの間に介在させて間接的に連結されていることを意味する。以下では、同じ参照番号は同じ構成要素を意味する。
【００１３】
図１は、本発明の実施形態による有機電界発光表示装置を概略的に示すブロック図である。
【００１４】
図１を参照すれば、本発明の実施形態による有機電界発光表示装置は、同一面に形成された第１ディスプレイパネル１００及び第２ディスプレイパネル１０２と、タッチパネル２００と、タッチパネル制御部３００及びディスプレイ制御部４００が含まれて構成される。ここで、タッチパネル（Ｔｏｕｃｈ Ｓｃｒｅｅｎ Ｐａｎｅｌ、ＴＳＰ）２００は第１及び第２ディスプレイパネル上に一体に形成され、タッチパネル制御部３００はタッチパネルを駆動させる。そして、ディスプレイ制御部４００は第１及び第２ディスプレイパネルを制御する。
【００１５】
このような本発明の実施形態による有機電界発光表示装置の概略的な動作を説明すれば、以下の通りである。
【００１６】
まず、ディスプレイ制御部４００により第１ディスプレイパネル１００に備えられた画像表示部にメニュー画面が表示されると、ユーザは出力されたメニュー画面のうち、特定メニューを選択するために第１ディスプレイパネル１００上部に形成されたタッチパネル２００の一領域を接触することで、これを選択する。
【００１７】
これにより、前記タッチパネル２００は接触した地点に対する情報をタッチパネル制御部３００に伝達する。このとき、前記情報はその地点に対する電圧情報などのアナログ信号であり、タッチパネル制御部３００はこのようなアナログ信号をデジタル信号に変換してディスプレイ制御部４００に伝送する。
【００１８】
これにより、ディスプレイ制御部４００は入力を受けたデジタル信号を処理して第１及び／又は第２ディスプレイパネル１００、１０２にこれに対応するデータを出力する。これを通じてユーザは自分の選択による結果を第１及び／又は第２ディスプレイパネルの画像表示部を介して確認できる。
【００１９】
このとき、第１ディスプレイパネル１００及び第２ディスプレイパネル１０２は、有機電界発光表示パネルで実現される。
【００２０】
また、第１及び第２ディスプレイパネル上に１つのタッチパネル２００が前記ディスプレイパネル１００、１０２と一体に形成されることを特徴とし、これについては下記の図２を通じてより詳細に説明する。
【００２１】
このような本発明の実施形態による構造によれば、第１及び第２ディスプレイパネル１００、１０２が一面に形成され、第１及び第２ディスプレイパネル１００、１０２上に１つの一体型タッチパネル２００が形成される。これにより、メインディスプレイと、サブディスプレイの区分がなくなり、ユーザの側面で第１及び第２ディスプレイパネル１００、１０２を用いて多様なアプリケーションを駆動できるようになる。また、それぞれのディスプレイパネル上に別途のタッチパネルを形成することに比べて生産コストを低減できるようになる。
【００２２】
図２は、図１に示した第１及び第２ディスプレイパネル及びタッチパネルの一領域に対する断面図である。
【００２３】
図２を参照すれば、有機電界発光表示装置は、第１基板１１１と、封止基板１４０と、タッチパネル２００とを含んで構成される。ここで、第１基板１１１は第１及び第２ディスプレイパネルの画像表示部１１０がそれぞれ形成され、封止基板１４０は第１基板に形成された画像表示部を封止するために第１基板の上部に形成される。そして、タッチパネル２００は封止基板上に一体に形成される。
【００２４】
このとき、図２の場合、第１及び第２ディスプレイパネルの各画像表示部が同じ第１基板１１１上に形成され、それぞれの画像表示部を封止するために同じ封止基板１４０が備えられるものと説明している。しかしながら、これは説明の便宜のための１つの実施形態に過ぎず、前記第１及び第２ディスプレイパネルの画像表示部は別途の基板上にそれぞれ形成されることができ、これにより、前記封止基板も別途に形成されることができる。
【００２５】
但し、タッチパネル２００は、前記第１及び第２ディスプレイパネル上、即ち、封止基板が１つで実現されるか否かに関係なく、少なくとも１つ以上の封止基板上に一体に形成されることを特徴とする。
【００２６】
ここで、本発明は、二つのディスプレイ部（第１及び第２ディスプレイパネル１００、１０２）が互いに異なる基板上に形成されることではなく、二つのディスプレイ部が一つの基板上に形成され、前記二つのディスプレイ部上に一つのタッチパネル２００が一体型で形成される。本発明のディスプレイ部は、すべてＯＬＥＤ（有機電界発光素子）で具現されるとともに、上部基板が封止基板１４０により具現されて、前記封止基板１１１上にタッチパネル２００が形成されるものです。これにより、第１基板１１１上に二つ以上のディスプレイパネル１００、１０２を配置し、前記ディスプレイパネル上にタッチパネル２００を形成することは、ディスプレイ部がＯＬＥＤである場合に限って可能になる。
【００２７】
第１基板１１１上に形成されたそれぞれの画像表示部１１０は、複数の薄膜トランジスタ１２０と複数の発光素子１３０とを含む。即ち、第１基板１１１上にはバッファ層１１２と半導体層１１７が順次形成され、半導体層１１７上にはゲート絶縁膜１１３、ゲート電極１２１、層間絶縁膜１１４、ソース及びドレイン電極１２３及び保護膜１１５が形成される。このとき、薄膜トランジスタ１２０は半導体層１１７、ゲート電極１２０、ソース及びドレイン電極１２２などからなり、薄膜トランジスタ１２０上には保護膜１１５に形成されたコンタクトトホール（図示せず）を介して薄膜トランジスタ１２０と電気的に連結される発光素子１３０が形成される。
【００２８】
発光素子１３０はアノード電極１３１、発光層１３３及びカソード電極１３５を含む。アノード電極１３１と保護膜１１５上には画素定義膜１１６が形成される。
【００２９】
また、薄膜トランジスタ１２０及び発光素子１３０を含む画像表示部上には封止基板１４０が形成されて第１基板１１１と共に薄膜トランジスタ１２０及び発光素子１３０を封止する。このとき、第１基板１１１と封止基板１４０は封止材１１８により封止され、封止基板１４０は透明性を有するガラスなどのような絶縁基板で実現され得る。そして、封止基板１４０の下部面には封止基板１４０と第１基板１１１との間に残存する水分を吸湿する透明吸湿剤（図示せず）が設置され得る。
【００３０】
本発明の実施形態は、封止基板１４０上にタッチパネル２００が一体に形成されることを特徴とし、タッチパネル２００は静電容量方式のタッチパネルで実現されることが好ましい。
【００３１】
即ち、図２に示す実施形態の場合、封止基板１４０の上面に透明電極２１０がコーティングされており、透明電極２１０のエッジ又は各辺には金属電極２２０が形成されている。
【００３２】
このとき、透明電極２１０はＩＴＯ（Ｉｎｄｉｕｍ Ｔｉｎ Ｏｘｉｄｅ）などを用いる。また、金属電極２２０は透明電極２１０周辺に抵抗ネットワークを形成する。抵抗ネットワークは透明電極２１０の表面全体に均等に制御信号を送出するために、線形パターンに形成される。
【００３３】
一方、金属電極２２０の材質は銀などで実現されることができる。そして、金属電極２２０は透明電極２１０に直接シルクスクリーン印刷した後、熱処理して形成するか、一般的な導電性物質を蒸着した後にパターニングして形成する。
【００３４】
そして、金属電極２２０を含む封止基板１４０の全面に偏光フィルム２３０が形成される。
【００３５】
偏光フィルム２３０は柔軟性があり、外部から入射する光を選別して透過させる機能を行う。このような偏光フィルム２３０を介して外部光の反射を防止することで、有機電界発光表示装置を介して表示される画像の視認性を向上させることができるようになる。
【００３６】
また、偏光フィルム２３０は導電性ペン（ｃｏｎｄｕｃｔｉｖｅ ｓｔｙｌｕｓ）又は指と透明電極２１０との電気的な短絡を防止する。従って、静電容量方式のタッチパネル２００は導電性ペン又は指が偏光フィルム３３の上部に位置したり、又は偏光フィルム２３０をタッチした場合に電圧ドロップが発生してタッチ位置を検出する。
【００３７】
一方、このような静電容量方式のタッチパネル２００は充電と放電を持続的に行なう。このとき、タッチパネル２００の四隅にアナログ測定回路（電流センサ）を連結して充電量を測定する。このような静電容量方式のタッチパネル２００は透明な金属酸化膜でコーティングされた曲面又は平面ガラスであって、均一な電界が生成されるように各コーナーに電圧が印加され、指又はペンで書くと、電圧ドロップが発生してタッチ位置を決定する。
【００３８】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能であることはもちろんであり、斯かる変形や変更が、本発明の範囲に含まれることは言うまでもない。
【図面の簡単な説明】
【００３９】
【図１】本発明の実施形態による有機電界発光表示装置を概略的に示すブロック図である。
【図２】図１に示した第１及び第２ディスプレイパネル及びタッチパネルの一領域に対する断面図である。
【符号の説明】
【００４０】
１００  第１ディスプレイパネル
１０２  第２ディスプレイパネル
２００  タッチパネル
３００  タッチパネル制御部
４００  ディスプレイ制御部
【図１】
0005159557.tif 000002
【図２】
0005159557.tif 000003